(57)【要約】【課題】インクプリンタを用いてエンボス形成用のデータが示す文字を媒体に印刷する。【解決手段】媒体にエンボスを形成するためのエンボス形成用データに基づいて、媒体に文字を印刷するための文字印刷用データを生成し、生成した文字印刷用データを媒体に印刷する文字印刷処理部１１０と、取得した画像データに基づいて、媒体に画像データが示す画像を印刷するための画像印刷用データを生成し、生成した画像印刷用データを媒体に印刷する画像印刷処理部１２０と、文字印刷用データと画像印刷用データとに基づいて、媒体上のオーバコート領域を設定し、設定したオーバコート領域に所定の印刷を行うオーバコート処理部１３０とを有する。【選択図】図１
2020163704.tif 000002
【特許請求の範囲】
【請求項１】
媒体にエンボスを形成するためのエンボス形成用データに基づいて、前記媒体に文字を印刷するための文字印刷用データを生成し、該生成した文字印刷用データを前記媒体に印刷する文字印刷処理部と、
取得した画像データに基づいて、前記媒体に前記画像データが示す画像を印刷するための画像印刷用データを生成し、該生成した画像印刷用データを前記媒体に印刷する画像印刷処理部と、
前記文字印刷用データと前記画像印刷用データとに基づいて、前記媒体上のオーバコート領域を設定し、該設定したオーバコート領域に所定の印刷を行うオーバコート処理部とを有する印刷装置。
【請求項２】
請求項１に記載の印刷装置において、
前記画像データを記憶する記憶部を有し、
前記画像印刷処理部は、前記記憶部から前記画像データを取得する印刷装置。
【請求項３】
請求項１に記載の印刷装置において、
前記画像データを外部の装置から受信する通信部を有し、
前記画像印刷処理部は、前記通信部が受信した画像データを取得する印刷装置。
【請求項４】
請求項１から３のいずれか１項に記載の印刷装置において、
前記文字印刷処理部が行う前記文字印刷用データの印刷と、前記画像印刷処理部が行う前記画像印刷用データの印刷と、前記オーバコート処理部が行う印刷とは、所定の順序で行われる印刷装置。
【請求項５】
請求項４に記載の印刷装置において、
前記画像印刷処理部が前記画像印刷用データの印刷を行い、続いて、前記文字印刷処理部が前記文字印刷用データの印刷を行い、続いて、前記オーバコート処理部が印刷を行う印刷装置。
【請求項６】
請求項１から５のいずれか１項に記載の印刷装置において、
前記文字印刷処理部、前記画像印刷処理部および前記オーバコート処理部は、インクリボンの転写方式を用いて印刷を行う印刷装置。
【請求項７】
請求項６に記載の印刷装置において、
前記文字印刷処理部は、溶融型の黒色のインクリボンを用いて印刷を行い、
前記画像印刷処理部は、昇華型のＹＭＣ三原色のインクリボンを用いて印刷を行い、
前記オーバコート処理部は、オーバコート用のインクリボンを用いて印刷を行う印刷装置。
【請求項８】
請求項１から７のいずれか１項に記載の印刷装置において、
前記媒体は、カードである印刷装置。
【請求項９】
媒体にエンボスを形成するためのエンボス形成用データに基づいて、前記媒体に文字を印刷するための文字印刷用データを生成する処理と、
取得した画像データに基づいて、前記媒体に前記画像データが示す画像を印刷するための画像印刷用データを生成する処理と、
前記文字印刷用データと前記画像印刷用データとに基づいて、前記媒体上のオーバコート領域を設定する処理と、
前記生成した文字印刷用データを前記媒体に印刷する処理と、
前記生成した画像印刷用データを前記媒体に印刷する処理と、
前記設定したオーバコート領域に所定の印刷を行う処理とを行う印刷方法。
【請求項１０】
請求項９に記載の印刷方法において、
前記画像データを記憶する記憶部から前記画像データを取得する処理を行う印刷方法。
【請求項１１】
請求項９に記載の印刷方法において、
外部の装置から受信した画像データを取得する処理を行う印刷方法。
【請求項１２】
請求項９から１１のいずれか１項に記載の印刷方法において、
前記文字印刷用データの印刷と、前記画像印刷用データの印刷と、前記オーバコート領域への印刷とは、所定の順序で行う印刷方法。
【請求項１３】
請求項１２に記載の印刷方法において、
前記画像印刷用データの印刷を行い、続いて、前記文字印刷用データの印刷を行い、続いて、前記オーバコート領域の印刷を行う印刷方法。
【請求項１４】
請求項９から１３のいずれか１項に記載の印刷方法において、
前記文字印刷用データの印刷、前記画像印刷用データの印刷および前記オーバコート領域への印刷は、インクリボンの転写方式を用いて行う印刷方法。
【請求項１５】
請求項１４に記載の印刷方法において、
前記文字印刷用データの印刷は、溶融型の黒色のインクリボンを用いて行い、
前記画像印刷用データの印刷は、昇華型のＹＭＣ三原色のインクリボンを用いて行い、
前記オーバコート領域への印刷は、オーバコートのインクリボンを用いて行う印刷方法。
【発明の詳細な説明】
【技術分野】
【０００１】
本発明は、印刷装置および印刷方法に関する。
【背景技術】
【０００２】
一般的なクレジットカード等のプラスチックカードには、エンボスと呼ばれる立体文字を形成する技術が用いられる（例えば、特許文献１参照。）。
【先行技術文献】
【特許文献】
【０００３】
【特許文献１】特開２０１３−１７５２３１号公報
【発明の概要】
【発明が解決しようとする課題】
【０００４】
エンボスの文字を形成するには、エンボッサと呼ばれる装置を用いる必要がある。このエンボッサは装置自体の規模が比較的大きく、形成のときに生じる騒音も問題視されている。このような事情もあり、エンボッサの需要は減少傾向にある。一方で、一般的なインクを用いたカードプリンタ（以下、インクプリンタと称する）にはエンボッサとの機能の互換性はない。そのため、インクプリンタでは、エンボス形成用のデータが示す文字を媒体に印刷することができないという問題点がある。
【０００５】
本発明の目的は、インクプリンタを用いてエンボス形成用のデータが示す文字を媒体に印刷することができる印刷装置および印刷方法を提供することである。
【課題を解決するための手段】
【０００６】
上記課題を解決するため、本発明の印刷装置は、媒体にエンボスを形成するためのエンボス形成用データに基づいて、前記媒体に文字を印刷するための文字印刷用データを生成し、該生成した文字印刷用データを前記媒体に印刷する文字印刷処理部と、
取得した画像データに基づいて、前記媒体に前記画像データが示す画像を印刷するための画像印刷用データを生成し、該生成した画像印刷用データを前記媒体に印刷する画像印刷処理部と、
前記文字印刷用データと前記画像印刷用データとに基づいて、前記媒体上のオーバコート領域を設定し、該設定したオーバコート領域に所定の印刷を行うオーバコート処理部とを有することを特徴とする。
【０００７】
本発明の印刷装置では、文字印刷処理部がエンボス形成用データに基づいて文字印刷用データを生成し、画像印刷処理部が取得した画像データに基づいて画像印刷用データを生成し、オーバコート処理部が文字印刷用データと画像印刷用データとに基づいてオーバコート領域を設定し、文字印刷用データ、画像印刷用データおよびオーバコート領域の印刷を行う。そのため、本発明では、上位のアプリケーションやシステムを変更することなく、インクプリンタを用いてエンボス形成用のデータが示す文字を媒体に印刷することができる。
【０００８】
本発明において、印刷装置は、前記画像データを記憶する記憶部を有し、
前記画像印刷処理部は、前記記憶部から前記画像データを取得する。この場合には、通信ネットワークと接続されていない場合であっても、記憶部内を指定するだけで画像データを印刷することができる。
【０００９】
本発明において、印刷装置は、前記画像データを外部の装置から受信する通信部を有し、
前記画像印刷処理部は、前記通信部が受信した画像データを取得する。この場合には、印刷できる画像データの種類が多彩となる。
【００１０】
本発明において、印刷装置は、前記文字印刷処理部が行う前記文字印刷用データの印刷と、前記画像印刷処理部が行う前記画像印刷用データの印刷と、前記オーバコート処理部が行う印刷とは、所定の順序で行われる。この場合には、印刷された文字や画像を鮮明な表示とすることができる。
【００１１】
本発明において、印刷装置は、前記画像印刷処理部が前記画像印刷用データの印刷を行い、続いて、前記文字印刷処理部が前記文字印刷用データの印刷を行い、続いて、前記オーバコート処理部が印刷を行う。この場合には、印刷された文字や画像を鮮明な表示とすることができる。
【００１２】
本発明において、印刷装置は、前記文字印刷処理部、前記画像印刷処理部および前記オーバコート処理部は、インクリボンの転写方式を用いて印刷を行う。この場合には、多彩な媒体を印刷することができ、強度の強いエンボス対応の文字を印刷することができる。
【００１３】
本発明において、印刷装置は、前記文字印刷処理部は、溶融型の黒色のインクリボンを用いて印刷を行い、
前記画像印刷処理部は、昇華型のＹＭＣ三原色のインクリボンを用いて印刷を行い、
前記オーバコート処理部は、オーバコート用のインクリボンを用いて印刷を行う。この場合には、多彩な媒体を印刷することができ、強度の強いエンボス対応の文字を印刷することができる。
【００１４】
本発明において、印刷装置は、前記媒体は、カードである。この場合には、エンボスを形成しようとするカードに対してもインクを用いた印刷を行うことができる。
【００１５】
上記課題を解決するため、本発明の印刷方法は、媒体にエンボスを形成するためのエンボス形成用データに基づいて、前記媒体に文字を印刷するための文字印刷用データを生成する処理と、
取得した画像データに基づいて、前記媒体に前記画像データが示す画像を印刷するための画像印刷用データを生成する処理と、
前記文字印刷用データと前記画像印刷用データとに基づいて、前記媒体上のオーバコート領域を設定する処理と、
前記生成した文字印刷用データを前記媒体に印刷する処理と、
前記生成した画像印刷用データを前記媒体に印刷する処理と、
前記設定したオーバコート領域に所定の印刷を行う処理とを行うことを特徴とする。
【００１６】
本発明の印刷方法では、エンボス形成用データに基づいて文字印刷用データを生成し、取得した画像データに基づいて画像印刷用データを生成し、文字印刷用データと画像印刷用データとに基づいてオーバコート領域を設定し、文字印刷用データ、画像印刷用データおよびオーバコート領域の印刷を行う。そのため、本発明では、上位のアプリケーションやシステムを変更することなく、インクプリンタを用いてエンボス形成用のデータが示す文字を媒体に印刷することができる。
【００１７】
本発明において、印刷方法は、前記画像データを記憶する記憶部から前記画像データを取得する処理を行う。この場合には、通信ネットワークと接続されていない場合であっても、記憶部内を指定するだけで画像データを印刷することができる。
【００１８】
本発明において、印刷方法は、外部の装置から受信した画像データを取得する処理を行う。この場合には、印刷できる画像データの種類が多彩となる。
【００１９】
本発明において、印刷方法は、前記文字印刷用データの印刷と、前記画像印刷用データの印刷と、前記オーバコート領域への印刷とは、所定の順序で行う。この場合には、印刷された文字や画像を鮮明な表示とすることができる。
【００２０】
本発明において、印刷方法は、前記画像印刷用データの印刷を行い、続いて、前記文字印刷用データの印刷を行い、続いて、前記オーバコート領域の印刷を行う。この場合には、印刷された文字や画像を鮮明な表示とすることができる。
【００２１】
本発明において、印刷方法は、前記文字印刷用データの印刷、前記画像印刷用データの印刷および前記オーバコート領域への印刷は、インクリボンの転写方式を用いて行う。この場合には、多彩な媒体に印刷することができ、強度の強いエンボス対応の文字を印刷することができる。
【００２２】
本発明において、印刷方法は、前記文字印刷用データの印刷は、溶融型の黒色のインクリボンを用いて行い、
前記画像印刷用データの印刷は、昇華型のＹＭＣ三原色のインクリボンを用いて行い、
前記オーバコート領域への印刷は、オーバコートのインクリボンを用いて行う。この場合には、多彩な媒体に印刷することができ、強度の強いエンボス対応の文字を印刷することができる。
【発明の効果】
【００２３】
以上説明したように、本発明においては、インクプリンタを用いてエンボス形成用のデータが示す文字を媒体に印刷することができる。
【図面の簡単な説明】
【００２４】
【図１】本発明の印刷装置の第１の実施の形態を示す図である。
【図２】図１に示した印刷装置における印刷方法の一例を説明するためのフローチャートである。
【図３】ステップＳ５の処理を行なったときの媒体の印刷状態の一例を示す図である。
【図４】ステップＳ６の処理を行なったときの媒体の印刷状態の一例を示す図である。
【図５】ステップＳ７の処理を行なったときの媒体の印刷状態の一例を示す図である。
【図６】本発明の印刷装置の第２の実施の形態を示す図である。
【図７】図６に示した印刷装置における印刷方法の一例を説明するためのフローチャートである。
【発明を実施するための形態】
【００２５】
以下に本発明の実施の形態について図面を参照して説明する。
（第１の実施の形態）
【００２６】
図１は、本発明の印刷装置の第１の実施の形態を示す図である。本形態における印刷装置１００は図１に示すように、文字印刷処理部１１０と、画像印刷処理部１２０と、オーバコート処理部１３０と、記憶部１４０とを有する。なお、図１には本発明の印刷装置１００が具備する構成要素のうち、本形態に関わる主要な要素のみを示している。
【００２７】
記憶部１４０は、画像データを記憶する。記憶部１４０は、一般的なメモリであっても良く、各データが記憶されているエリアを指定できる格納アドレスを有するものである。
文字印刷処理部１１０は、プラスチックカード等の媒体（以下、媒体と称する）にエンボスを形成するためのエンボス形成用データに基づいて、媒体に文字を印刷するための文字印刷用データを生成する。このエンボス形成用データに基づく文字印刷用データの生成は、ＸＦＳ  Ｓｅｒｖｉｃｅ  Ｐｒｏｖｉｄｅｒというミドルウェアレイヤで行われる。さらに具体的には、エンボスの処理を行うＸＦＳ  Ｅｍｂｏｓｓｉｎｇクラスにおいて、上位のアプリケーションからＳｅｒｖｉｃｅ  Ｐｒｏｖｉｄｅｒに対して、エンボスとして形成される文字列、フォントの種類、文字サイズおよび形成位置が指定され、Ｓｅｒｖｉｃｅ  Ｐｒｏｖｉｄｅｒがインクプリンタを用いて印刷できる文字印刷用データを生成する。文字印刷処理部１１０は、生成した文字印刷用データを媒体に印刷する。文字印刷処理部１１０は、黒色のインクリボンを媒体に転写する方式を用いて印刷を行う。
画像印刷処理部１２０は、記憶部１４０から画像データを読み出して取得する。このとき、画像印刷処理部１２０は、記憶部１４０に対して画像データの格納アドレスを指定して画像データを記憶部１４０から取得する。画像印刷処理部１２０は、取得した画像データに基づいて、画像データが示す画像を媒体に印刷するための画像印刷用データを生成する。画像印刷処理部１２０は、生成した画像印刷用データを媒体に印刷する。このとき、画像印刷処理部１２０は、画像印刷用データをＹ（Ｙｅｌｌｏｗ）、Ｍ（Ｍａｇｅｎｄａ）およびＣ（Ｃｙａｎ）の三原色の色成分に分解して、それぞれＹＭＣ三原色のインクリボンを媒体に転写する方式を用いて印刷を行う。
オーバコート処理部１３０は、文字印刷用データと画像印刷用データとに基づいて、媒体上のオーバコート領域を設定する。オーバコート処理部１３０は、設定したオーバコート領域に所定の印刷を行う。オーバコート処理部１３０は、オーバコート用のインクリボンを媒体に転写する方式を用いて、設定したオーバコート領域にオーバコート層の印刷を行う。
【００２８】
なお、印刷装置１００は、熱転写方式で媒体にインクリボンの塗料を転写するカード用印刷装置である。印刷装置１００で使用されるインクリボンは、Ｙ（Ｙｅｌｌｏｗ）、Ｍ（Ｍａｇｅｎｄａ）およびＣ（Ｃｙａｎ）については昇華型、黒色およびオーバコートについては溶融型のものが用いられる。また、実際の媒体への印刷は、通常の熱転写方式の印刷で用いられている印字ヘッドが行う。文字印刷処理部１１０、画像印刷処理部１２０およびオーバコート処理部１３０は、この印字ヘッドに対して、印刷の指示を行う。
【００２９】
以下に、図１に示した印刷装置１００における印刷方法について説明する。図２は、図１に示した印刷装置１００における印刷方法の一例を説明するためのフローチャートである。
【００３０】
まず、文字印刷処理部１１０が、エンボスを形成するためのエンボス形成用データに基づいて、媒体に文字を印刷するための文字印刷用データを生成する（ステップＳ１）。また、画像印刷処理部１２０が記憶部１４０に記憶された画像データを記憶部１４０から読み出して取得する（ステップＳ２）。続いて、画像印刷処理部１２０は、取得した画像データに基づいて、画像データが示す画像を媒体に印刷するための画像印刷用データを生成する（ステップＳ３）。ここで、画像印刷処理部１２０がステップＳ２およびＳ３の処理を行ってから、文字印刷処理部１１０がステップＳ１の処理を行なっても良い。また、オーバコート処理部１３０は、文字印刷用データと画像印刷用データとに基づいて、媒体上のオーバコート領域を設定する（ステップＳ４）。このオーバコート領域は、文字印刷用データの印刷領域と画像印刷用データの印刷領域とをカバーするような領域である。つまり、オーバコート処理部１３０は、印刷された文字と画像とを保護するように覆う領域を設定する。なお、オーバコート処理部１３０は、印刷対象となる媒体全体をオーバコート領域として設定するものであっても良い。なお、このステップＳ１の処理と、ステップＳ２，Ｓ３の処理と、ステップＳ４の処理との順番はこれに限らない。
【００３１】
すると、画像印刷処理部１２０が、生成した画像印刷用データを、ＹＭＣ三原色のインクリボンを用いて媒体に印刷する（ステップＳ５）。続いて、文字印刷処理部１１０が、生成した文字印刷用データを、黒色のインクリボンを用いて媒体に印刷する（ステップＳ６）。さらに、オーバコート処理部１３０が、設定したオーバコート領域にオーバコート用のインクリボンを用いて所定の印刷を行なう（ステップＳ７）。なお、ステップＳ１〜Ｓ４の処理を行ってから、ステップＳ５〜Ｓ７の処理を行うものだけではなく、画像印刷処理部１２０が、ステップＳ２，３の処理を行った後、ステップＳ５の処理を行い、続いて、文字印刷処理部１１０がステップＳ１の処理を行った後、ステップＳ６の処理を行い、続いて、オーバコート処理部１３０がステップＳ４の処理を行った後、ステップＳ７の処理を行うものであっても良い。つまり、文字印刷処理部１１０、画像印刷処理部１２０およびオーバコート処理部１３０それぞれが印刷用データを作成する都度、印刷を行うものであっても良い。
【００３２】
図３は、ステップＳ５の処理を行なったときの媒体の印刷状態の一例を示す図である。図３に示すように、「０１２３４５６７」の８桁の文字列が、媒体であるカード２００に印刷される。この文字列は、上位装置等から取得したときはエンボス形成用データであって、文字印刷処理部１１０が、ＸＦＳ  Ｓｅｒｖｉｃｅ  Ｐｒｏｖｉｄｅｒで文字印刷用データへ変換したものである。この文字列の印刷は、文字印刷処理部１１０が黒色のインクリボンを用いて行う。文字列を印刷する領域については、指定された領域となる。
【００３３】
図４は、ステップＳ６の処理を行なったときの媒体の印刷状態の一例を示す図である。図４に示すように、顔の画像が媒体であるカード２００に印刷される。この顔の画像は、あらかじめ記憶部１４０に記憶された画像データであって、画像印刷処理部１２０が記憶部１４０から取得した画像データに基づいて生成した画像印刷用データである。この画像の印刷は、画像印刷処理部１２０がＹＭＣ三原色のインクリボンを用いて行う。画像を印刷する領域については、指定された領域となる。
【００３４】
図５は、ステップＳ７の処理を行なったときの媒体の印刷状態の一例を示す図である。図５に示すように、媒体であるカード２００の文字列および画像が印刷された領域を含む領域がオーバコート領域として設定され、設定されたオーバコート領域に印刷が行われる。
【００３５】
このように、ＸＦＳ  Ｓｅｒｖｉｃｅ  Ｐｒｏｖｉｄｅｒのミドルウェアレイヤで、文字印刷処理部１１０が、エンボス形成用データに基づいて文字印刷用データを生成し、画像印刷処理部１２０が記憶部１４０から読み出した画像データに基づいて画像印刷用データを生成し、オーバコート処理部１３０が文字印刷用データと画像印刷用データとに基づいてオーバコート領域を設定し、文字印刷用データ、画像印刷用データおよびオーバコート領域の印刷を行う。これにより、上位のアプリケーションやシステムを変更することなく、インクプリンタを用いてエンボス形成用のデータが示す文字を媒体に印刷することができる。
（第２の実施の形態）
【００３６】
図６は、本発明の印刷装置の第２の実施の形態を示す図である。本形態における印刷装置１０１は図１に示すように、文字印刷処理部１１０と、画像印刷処理部１２１と、オーバコート処理部１３０と、通信部１５０とを有する。なお、図６には本発明の印刷装置１０１が具備する構成要素のうち、本形態に関わる主要な要素のみを示している。
【００３７】
通信部１５０は、画像データを印刷装置１０１と接続された外部の装置から受信する。
文字印刷処理部１１０およびオーバコート処理部１３０は、第１の実施の形態におけるものと同じである。
画像印刷処理部１２１は、通信部１５０が受信した画像データを取得する。画像印刷処理部１２１は、取得した画像データに基づいて、画像データが示す画像を媒体に印刷するための画像印刷用データを生成する。画像印刷処理部１２１は、生成した画像印刷用データを媒体に印刷する。このとき、画像印刷処理部１２１は、画像印刷用データをＹ（Ｙｅｌｌｏｗ）、Ｍ（Ｍａｇｅｎｄａ）およびＣ（Ｃｙａｎ）の三原色の色成分に分解して、それぞれＹＭＣ三原色のインクリボンを媒体に転写する方式を用いて印刷を行う。
なお、印刷装置１０１で使用されるインクリボンは、第１の実施の形態と同様に、Ｙ（Ｙｅｌｌｏｗ）、Ｍ（Ｍａｇｅｎｄａ）およびＣ（Ｃｙａｎ）については昇華型、黒色およびオーバコートについては溶融型のものが用いられる。また、実際の媒体への印刷は、通常の印刷で用いられている印字ヘッドが行う。文字印刷処理部１１０、画像印刷処理部１２１およびオーバコート処理部１３０は、この印字ヘッドに対して、印刷の指示を行う。
【００３８】
以下に、図６に示した印刷装置１０１における印刷方法について説明する。図７は、図６に示した印刷装置１０１における印刷方法の一例を説明するためのフローチャートである。
【００３９】
まず、文字印刷処理部１１０が、エンボスを形成するためのエンボス形成用データに基づいて、媒体に文字を印刷するための文字印刷用データを生成する（ステップＳ１１）。このエンボス形成用データに基づく文字印刷用データの生成は、ＸＦＳ  Ｓｅｒｖｉｃｅ  Ｐｒｏｖｉｄｅｒというミドルウェアレイヤで行われる。また、画像印刷処理部１２１が通信部１５０が受信した画像データを通信部１５０から取得する（ステップＳ１２）。続いて、画像印刷処理部１２１は、取得した画像データに基づいて、画像データが示す画像を媒体に印刷するための画像印刷用データを生成する（ステップＳ１３）。ここで、画像印刷処理部１２１がステップＳ１２およびＳ１３の処理を行ってから、文字印刷処理部１１０がステップＳ１１の処理を行なっても良い。また、オーバコート処理部１３０は、文字印刷用データと画像印刷用データとに基づいて、媒体上のオーバコート領域を設定する（ステップＳ１４）。このオーバコート領域は、文字印刷用データの印刷領域と画像印刷用データの印刷領域とをカバーするような領域である。つまり、オーバコート処理部１３０は、印刷された文字と画像とを保護するように覆う領域を設定する。なお、オーバコート処理部１３０は、印刷対象となる媒体全体をオーバコート領域として設定するものであっても良い。
【００４０】
すると、文字印刷処理部１１０が、生成した文字印刷用データを、黒色のインクリボンを用いて媒体に印刷する（ステップＳ１５）。続いて、画像印刷処理部１２１が、生成した画像印刷用データを、ＹＭＣ三原色のインクリボンを用いて媒体に印刷する（ステップＳ１６）。さらに、オーバコート処理部１３０が、設定したオーバコート領域にオーバコート用のインクリボンを用いて所定の印刷を行なう（ステップＳ１７）。
【００４１】
このように、文字印刷処理部１１０が、エンボス形成用データに基づいてＸＦＳ  Ｓｅｒｖｉｃｅ  Ｐｒｏｖｉｄｅｒのミドルウェアレイヤで文字印刷用データを生成し、画像印刷処理部１２１が通信部１５０から取得した画像データに基づいて画像印刷用データを生成し、オーバコート処理部１３０が文字印刷用データと画像印刷用データとに基づいてオーバコート領域を設定し、文字印刷用データ、画像印刷用データおよびオーバコート領域の印刷を行う。これにより、上位のアプリケーションやシステムを変更することなく、インクプリンタを用いてエンボス形成用のデータが示す文字を媒体に印刷することができる。
【００４２】
なお、印刷対象となる媒体は、上述したようなカードに限らず、紙等であっても良い。また、黒色のインクリボンとオーバコート用のインクリボンとの２種類のリボンのみを用いた転写方式で行うものであっても良い。さらに、他の色のインクリボンとの組み合わせ等を用いた転送方式で行うものであっても良い。また、本発明の印刷装置の形状は、エンボッサの置き換えとして利用できるように、汎用のインクプリンタとは異なり、カード発行システムであるＶＴＭ装置に組み込みやすい形状である。また、上述した印刷を行う順序は、画像印刷処理部１２０，１２１が最初であって、続いて、文字印刷処理部１１０、最後にオーバコート処理部１３０である場合を例に挙げて説明したが、これに限らない。さらに、上述した例では、インクリボン方式の印刷装置を挙げたが、本発明はインクジェット方式の印刷装置や再転写方式の印刷装置などの他の方式の印刷装置にも適用できる。
【００４３】
以上、各構成要素に各機能（処理）それぞれを分担させて説明したが、この割り当ては上述したものに限定しない。また、構成要素の構成についても、上述した形態はあくまでも例であって、これに限定しない。また、各実施の形態を組み合わせたものであっても良い。
【符号の説明】
【００４４】
１００，１０１    印刷装置
１１０    文字印刷処理部
１２０，１２１    画像印刷処理部
１３０    オーバコート処理部
１４０    記憶部
１５０    通信部
２００    カード
【図１】
2020163704.tif 000003
【図２】
2020163704.tif 000004
【図３】
2020163704.tif 000005
【図４】
2020163704.tif 000006
【図５】
2020163704.tif 000007
【図６】
2020163704.tif 000008
【図７】
2020163704.tif 000009